(57)【要約】【課題】持ち運びし易く、内部に埃、水、虫が入り込むことがなく、低コストであり、しかも内部の収容スペースが全く制約を受けることがない段ボール箱を提供する。【解決手段】段ボール箱１の底面は、側面２から延出する内フラップ４と、側面３から延出する外フラップ５とで構成される。外フラップ５には、該側辺５ａ，５ａに沿って開口６が設けられている。この開口６は、該側辺５ａに平行な１対の長辺６ａ，６ｂと、該長辺６ａ，６ｂの端部同士を結ぶ湾曲した短辺６ｃ，６ｄとを有した細長形状のものである。段ボール箱１を持ち運ぶに際しては、手の平を側面２と外フラップ５の側辺５ａとの角縁に当て、指先を開口６に当てがう。指先が開口６の長辺６ａに掛るので、指が滑らず、段ボール箱１をしっかりと且つ楽に持つことができる。開口５は内フラップ４によって閉鎖されているので、開口５を通して埃、水、虫などが段ボール箱１内に入ることがない。開口５を通して段ボール箱１内が視認されることもない。【選択図】図１
2006008184.tif 000002
【特許請求の範囲】
【請求項１】
底面に１対の内フラップと、該内フラップに対し下側から重なる１対の外フラップとが設けられている段ボール箱において、
該外フラップのうち内フラップと重なる部分に、指掛止用の開口を設けたことを特徴とする段ボール箱。
【請求項２】
請求項１において、前記外フラップは、１対の側辺と、該側辺の先端同士を結ぶ先端辺とを有しており、前記開口は該側辺に沿って設けられていることを特徴とする段ボール箱。
【請求項３】
底面に１対の内フラップと、該内フラップに対し下側から重なる１対の外フラップとが設けられている段ボール箱において、
該外フラップのうち内フラップと重なる部分に、指掛止用の開口を形成するための切込を設けたことを特徴とする段ボール箱。
【請求項４】
請求項１において、前記外フラップは、１対の側辺と、該側辺の先端同士を結ぶ先端辺とを有しており、前記切込は該側辺に沿って設けられていることを特徴とする段ボール箱。
【請求項５】
請求項１ないし４のいずれか１項に記載の段ボール箱を複数用いた梱包物であって、１つの段ボール箱の天面と他の段ボール箱の底面とを接するように段ボール箱同士を重ね合わせ、重ね合わせた面の周囲に粘着テープを貼付することによって複数の段ボール箱を連結したことを特徴とする梱包物。
【発明の詳細な説明】
【技術分野】
【０００１】
本発明は段ボール箱に係り、特に手を側面下端から底面にかけて回し込むようにして持つ際に手が滑らないように改良された段ボール箱とそれを用いた梱包物に関する。
【背景技術】
【０００２】
Ｉ．段ボール箱を手で持ち運び易くするために、段ボール箱の側面に打ち抜き状の開口を設けることが行われているが、この開口から埃、水、虫などが段ボール箱内部に入ったり、あるいはこの開口から内容物が視認される等の短所がある。
【０００３】
特開平１１−１１４６０号公報には、この開口を箱内側から覆うように板状、シール状、ゴム製等の素材を装着することが記載されているが、該素材を装着する分だけコスト高になる。
【０００４】
特開平５−２６２３４６号公報には、段ボール箱の底部の４コーナー部を内方へ折り込むことにより手を掛け易くなることが記載されている。この段ボール箱にあっては、段ボール箱内の底部の各コーナー部に該折り込み部分が出張ることになり、段ボール箱の内容積が小さくなると共に、段ボール箱内の収容物がこの出張りに当るため、収納に支障が生じる。
【０００５】
II．段ボール箱を連結する従来の方法として、ＰＰ（ポリプロピレン）バンドを用いて段ボール箱同士を結束する方法があるが、ＰＰバンドを切って開梱するにはハサミが必要である；開梱後にＰＰバンドのごみが発生する；結束時に段ボール箱が吸湿や衝撃により変形することによってＰＰバンドが緩んで荷ほどけを起こす；等の問題があった。また、ＰＰバンドの結束機が必要であった。
【特許文献１】特開平１１−１１４６０号公報
【特許文献２】特開平５−２６２３４６号公報
【発明の開示】
【発明が解決しようとする課題】
【０００６】
本発明は、上記従来の問題点を解決し、持ち運びし易く、内部に埃、水、虫が入り込むことがなく、低コストであり、しかも内部の収容スペースが全く制約を受けることがない段ボール箱と、この段ボール箱を用いた梱包物を提供することを目的とする。
【課題を解決するための手段】
【０００７】
本発明の段ボール箱は、底面に１対の内フラップと、該内フラップに対し下側から重なる１対の外フラップとが設けられている段ボール箱において、該外フラップのうち内フラップと重なる部分に、指掛止用の開口又はこの開口を形成するための切込を設けたものである。
【０００８】
この開口又は切込は、外フラップの側辺に沿って設けられるのが好ましい。
【０００９】
本発明の梱包物は、かかる本発明の段ボール箱を複数用いた梱包物であって、１つの段ボール箱の天面と他の段ボール箱の底面とを接するように段ボール箱同士を重ね合わせ、重ね合わせた面の周囲に粘着テープを貼付することによって複数の段ボール箱を連結したことを特徴とするものである。
【発明の効果】
【００１０】
本発明の段ボール箱は、底面に手を掛けて持ち運びする際に指を開口に掛けることができ、指が滑りにくくなるので、持ち運びを容易に行うことができる。また、この開口は内フラップと重なる位置に設けられているので、開口は内フラップによって閉鎖される。このため、開口から埃、水、虫などが段ボール箱内に入ることが防止される。また、段ボール箱内が開口を通して視認されることもない。
【００１１】
本発明の段ボール箱は、開口を塞ぐシート等が不要であり、低コストである。また、段ボール箱内部への出張りがないから、収容スペースが大きい。
【００１２】
本発明の段ボール箱は、予め段ボール箱製造工場において上記開口を打ち抜き等により形成しておいてもよく、段ボール箱に該開口形成用の切込を設けておき、段ボール箱のユーザ等が開口を形成するように構成してもよい。
【００１３】
本発明の梱包物は、かかる本発明の段ボール箱を複数個積み重ね、粘着テープで連結したものである。この梱包物は、最下段の段ボール箱が上記本発明の段ボール箱であるから、手を掛け易く、運搬が容易である。
【００１４】
なお、段ボール箱を複数個連結したことにより、別々に輸送するよりも輸送費が安くなり、複数の段ボール箱を同じ場所へ郵送する際には梱包数が少なくなることにより、輸送する際の管理が容易になる。
【００１５】
この梱包物は、複数の段ボール箱の積み重ね体をＰＰバンドによって結束した従来の梱包物に比べ、ＰＰバンドの緩みや、段ボール箱の吸湿、衝撃等に起因した荷ほどけがなく、取り扱いが容易である。また、ＰＰバンドの結束機も不要である。
【００１６】
本発明の梱包物にあっては、積み重ねた段ボール箱の周囲の面に粘着テープを貼付して段ボール箱同士を連結しているので、この粘着テープを切るだけで、個々の段ボール箱にばらすことができる。粘着テープは段ボール箱の周囲の面に貼付されているから、このばらし作業は容易である。
【００１７】
また、ハサミがなくても、粘着テープを剥したり、カッター等で分断することにより、個々の段ボール箱にばらすことができる。
【００１８】
粘着テープを剥した場合であっても、ばらした後に、ＰＰバンド屑などの取り扱いにくいゴミが発生しない。粘着テープを分断した場合には、ゴミは発生しない。
【００１９】
個々にばらした段ボール箱は、各々、上記本発明の段ボール箱であるから、持ち運びが容易である。
【発明を実施するための最良の形態】
【００２０】
以下、図面を参照して本発明についてさらに詳細に説明する。
【００２１】
図１（Ａ）は実施の形態に係る段ボール箱の下方からの斜視図、図１（Ｂ）は図１（Ａ）の一部の拡大図、図２は図１（Ａ）のII−II線断面図、図３は段ボール箱の底部の外フラップを開いた状態の斜視図である。
【００２２】
この段ボール箱１は、平面視形状が長方形の直方体形状であり、１対の幅小の側面２と１対の幅大の側面３とを有している。ただし、段ボール箱１は側面２，３が同一寸法であり平面視形状が正方形となるものであってもよい。
【００２３】
段ボール箱１の底面は、側面２から延出する内フラップ４と、側面３から延出する外フラップ５とで構成される。図３の通り、内フラップ４，４を底面を覆うように折った場合、該内フラップ４，４の先端同士の間には若干の間隙が形成される。外フラップ５，５を底面を覆うように折った場合、図１の通り、該外フラップ５，５の先端辺５ｂ，５ｂ同士は突き合わせ状となる。
【００２４】
外フラップ５は、側面３から離隔する方向へ延在する１対の側辺５ａ，５ａと、該側辺５ａ，５ａの先端同士を結ぶ先端辺５ｂと、該先端辺５ｂと平行な基端辺５ｃとを有した長方形状のものであり、この基端辺５ｃに沿って底面を覆う方向へ折られる。
【００２５】
外フラップ５には、該側辺５ａ，５ａに沿って開口６が設けられている。この開口６は、該側辺５ａに平行な１対の長辺６ａ，６ｂと、該長辺６ａ，６ｂの端部同士を結ぶ湾曲した短辺６ｃ，６ｄとを有した細長形状のものである。短辺６ｃ，６ｄは略半円形状である。短辺６ｃ，６ｄを湾曲形状としたことにより、長辺６ａに指を掛けた際に短辺６ｃ，６ｄの一部に局部的に応力が集中することが防止される。
【００２６】
段ボール箱１の天面部には、内フラップ７及び外フラップ８が設けられている。
【００２７】
この段ボール箱１を組み立てるには、図３の如く、内フラップ４，４を内側に折り、次に外フラップ５，５を内側に折って内フラップ４，４に重ね、テープ（図示略）で外フラップ５，５の先端同士を結着し、該テープの両端を側面２，２に貼り付ける。なお、テープ留めする代りにホットメルト接着剤等によってフラップ４，５同士を接着してもよい。
【００２８】
内フラップ４に対し外フラップ５を重ねた場合、開口６は内フラップ４によって閉鎖される。
【００２９】
その後、段ボール箱１内に収容物を入れた後、表面部のフラップ７，８を折り、テープ又は接着剤で固定する。
【００３０】
この段ボール箱１を持ち運ぶに際しては、手の平を側面２と外フラップ５の側辺５ａとの角縁に当て、指先を開口６に当てがう。これにより、指先が開口６の長辺６ａに掛るので、指が滑らず、段ボール箱１をしっかりと且つ楽に持つことができる。
【００３１】
また、開口６は内フラップ４によって閉鎖されているので、開口６を通して埃、水、虫などが段ボール箱１内に入ることがない。さらに、開口６を通して段ボール箱１内が視認されることもない。この段ボール箱１は、開口６を塞ぐためのシート等が無く、製作が容易で製作コストが低い。また、内方への出張りもなく、収容スペースが大きい。
【００３２】
この実施の形態にあっては、段ボール箱１を持ち運ぶに際して指先が長辺６ａに掛かることにより、開口６の縁部には長辺６ａを長辺６ｂから離反させる方向に応力が生じ、短辺６ｃ，６ｄ付近に裂け目が生じる方向の応力が生じるが、短辺６ｃ，６ｄが略半円状に湾曲しているので、局部的に応力が集中することがなく、短辺６ｃ，６ｄ付近に裂け目が入ることも防止される。
【００３３】
段ボールは、一般に波板状の芯材と、この芯材の表裏両面に接着された表皮紙とで構成されている。そして、波板の条方向は箱の縦方向、即ち図３の上下方向を指向している。そのため、開口６と外フラップ５の側辺６ａとの間の帯状部５Ａ（図１（Ｂ）参照）では芯材の条方向が該側辺６ａと平行方向に延在しており、該帯状部５Ａは長手方向の引張強度及び剛性が高い。従って、指先から帯状部５Ａに力が加えられても該帯状部５Ａが伸びたり断裂したりすることもない。
【００３４】
なお、開口６を外フラップ５の基端辺５ｃに沿って設けた場合には、外フラップ５と側面３との連結強度が小さくなるが、開口６を側辺５ａに沿って設けた図示の外フラップ５は、側面３との連結強度も十分に高い。
【００３５】
指を開口６に掛け易くすると共に、開口６の周囲の強度を十分なものとし、さらに、埃、水、虫等が開口６内に入り込むことを確実に防止するために、外フラップ５の側辺５ａと開口６との間の間隔（帯状部５Ａの幅。図１（Ｂ）参照。）ａは１５〜５０ｍｍ程度が好ましく、開口６の短手幅ｂは１０〜５０ｍｍ程度が好ましく、開口６の長手寸法ｄは５０〜１００ｍｍ程度が好ましい。間隔ａが１５ｍｍ未満では使用時に破損の危険性があり、５０ｍｍより大きいと指が届きにくく持ちづらくなる。短手幅ｂは１０ｍｍ未満では指先を掛けづらく、５０ｍｍより大きくなると内フラップと外フラップの重なりが少なくなり、異物混入等の点から望ましくない。長手寸法ｄは指先を掛け易く、無駄に大きすぎない前記寸法が望ましい。また、開口６の長手方向の一端部と外フラップ基端辺５ｃとの距離ｃは１０〜３０ｍｍ程度が好ましく、長手方向の他端部と外フラップ先端辺５ｂとの距離ｅは３０〜５０ｍｍ程度が好ましい。距離ｃは持ち易さの点から、また距離ｅは、外フラップ同士をテープで貼り合わせる時の貼り合わせ易さの点から前記の距離が望ましい。
【００３６】
上記の開口６は、段ボール箱１の製造工場において打ち抜き等により形成されたものであってもよく、切込を入れておき、段ボール箱１のユーザー等が押し開けることにより形成されるものであってもよい。
【００３７】
上記実施の形態では開口６は一直線状に細長く延在しているが、本発明では、Ｌ字状、円形、楕円形や図示よりも幅大とするなど、図示以外の形状の開口を設けてもよい。ただし、前述の通り、強度、埃等の侵入防止などを勘案すると、図示の形状の開口６が好適である。
【００３８】
図４は、上記の段ボール箱１を２個積み重ね、粘着テープ１１によって連結した梱包物１０の斜視図である。
【００３９】
図示の通り、下段側の段ボール箱１の天面上にもう１つの段ボール箱１の底面を載せるようにして段ボール箱１，１を積み重ね、下段側の段ボール箱１の側面上部から上段側の段ボール箱１の側面下部に跨って、粘着テープ１１を貼着している。粘着テープ１１は、側面２に貼着されると共に、段ボール箱１の角縁を回り込んで隣りの側面３にまで達している。粘着テープ１１を剥し易くするために、粘着テープ１１の端に折り返し部を設けておいてもよい。
【００４０】
粘着テープ１１としては、輸送時に連結した段ボール箱が外れないような材質及びサイズのものであれば良く、クラフトテープより強度があるＯＰＰ（オリエンテッドポリプロピレン）テープを好適に用いることができ、幅が５０〜７５ｍｍ程度のものが望ましい。ただし、粘着テープはこれに限定されるものではない。
【００４１】
この梱包物１０は、下側の段ボール箱も上記実施の形態に係る段ボール箱１であるから、指を開口６に掛けて容易に運搬することができる。また、複数の段ボール箱１を一体にして一まとめに輸送することになるため、輸送コストが低減されると共に、輸送管理も容易となる。
【００４２】
この梱包物１０は、段ボール箱１が吸湿したり衝撃が加えられたりしても、荷ほどけがなく、取り扱いが容易である。
【００４３】
この梱包物１０は、粘着テープ１１を剥したり分断することにより、個々の段ボール箱１にばらすことができる。粘着テープ１１は、段ボール箱１の側面に露見しているから、粘着テープ１１を剥したり分断する作業が容易である。
【００４４】
粘着テープ１１の分断は、ハサミがなくても行うことができる。粘着テープ１１を剥した場合の剥し屑は、ＰＰバンドに比べて取り扱いが容易である。粘着テープ１１を分断した際には、屑は全く発生しない。個々にばらした段ボール箱１は、上記の通り、持ち運びが容易である。
【００４５】
図４では２個の段ボール箱１を連結しているが、３個以上の段ボール箱１を３段以上に積み重ねて連結してもよい。
【００４６】
図４では、複数個の本発明の段ボール箱１を重ねているが、最下段に本発明の段ボール箱１を配置し、上側には同大きさの従来の段ボール箱を配置し、粘着テープ１１で連結してもよい。
【図面の簡単な説明】
【００４７】
【図１】図１（Ａ）は実施の形態に係る段ボール箱の下方からの斜視図、図１（Ｂ）は図１（Ａ）の一部の拡大図である。
【図２】図１（Ａ）のII−II線断面図である。
【図３】段ボール箱の底部の外フラップを開いた状態の斜視図である。
【図４】本発明の梱包物の一例を示す斜視図である。
【符号の説明】
【００４８】
１  段ボール箱
２，３  側面
４  内フラップ
５  外フラップ
５Ａ  帯状部
６  開口
１０  梱包物
【図１】
2006008184.tif 000003
【図２】
2006008184.tif 000004
【図３】
2006008184.tif 000005
【図４】
2006008184.tif 000006